(57)【要約】【課題】コネクタハウジングに対する端子の挿入時の力の低減を図り、それにより端子の挿入時間の短縮を図る。【解決手段】コネクタハウジング１０の端子収容室１３に後方から端子を挿入するコネクタ端子の組付方法において、端子として、少なくとも前部が磁石に吸着される性質を有する雌端子３０を使用し、コネクタハウジング１０の端子収容室の前方に磁石として構成されたコネクタシール２０を装着し、このコネクタシールによる磁気吸引力を挿入力の少なくとも一部として利用しながら、端子を端子収容室に挿入する。【選択図】図２
2015026526.tif 000002
【特許請求の範囲】
【請求項１】
コネクタハウジングの端子収容室に後方から端子を挿入するコネクタ端子の組付方法であって、
前記端子として、少なくとも前部が磁石に吸着される性質を有する端子を使用し、
前記コネクタハウジングの前記端子収容室の前方に磁石を配置し、該磁石による磁気吸引力を挿入力の少なくとも一部として利用しながら、前記端子を前記端子収容室に挿入することを特徴とするコネクタ端子の組付方法。
【請求項２】
前記コネクタハウジングを相手側コネクタのコネクタハウジングに嵌合したとき、前記両コネクタハウジング間をシールするコネクタシールを使用し、該コネクタシールを磁性ゴム材料で形成し磁石として構成したことを特徴とする請求項１に記載のコネクタ端子の組付方法。
【請求項３】
少なくとも前部が磁石に吸着される性質を有した端子と、
後方から前記端子が挿入される端子収容室を有するコネクタハウジングと、
前記コネクタハウジングの前部に装着され、前記コネクタハウジングを相手側コネクタのコネクタハウジングに嵌合したとき、前記両コネクタハウジング間をシールするコネクタシールと、
を有したコネクタであって、
前記コネクタシールが、前記端子の前記端子収容室への挿入前に前記コネクタハウジングの前部に装着された状態で、前記端子を前記端子収容室に挿入するとき、挿入しようとする前記端子に磁気吸引力を及ぼして、前記端子を前記端子収容室に入るように引き寄せるゴム製磁石として構成されていることを特徴とするコネクタ。
【発明の詳細な説明】
【技術分野】
【０００１】
本発明は、コネクタ端子の組付方法、及び、その組付方法の実施に使用するコネクタに関するものである。
【背景技術】
【０００２】
従来のコネクタとして、雄コネクタと雌コネクタの嵌合状態を強く保持するために磁石の力を利用するものや、雄コネクタと雌コネクタの嵌合力を低減するために磁石の力を利用するものが知られている（例えば、特許文献１参照）。
【先行技術文献】
【特許文献】
【０００３】
【特許文献１】特開平９−２２３５３４号公報
【発明の概要】
【発明が解決しようとする課題】
【０００４】
しかし、従来の磁石の力を利用するコネクタは、端子をコネクタハウジングの端子収容室に挿入する段階で磁力を利用するものではなかった。コネクタを製造する場合は、端子の挿入時間を短縮することが重要なポイントであり、その改善が望まれていた。
【０００５】
そこで、本発明の目的は、上記課題を解消することに係り、コネクタハウジングに対する端子の挿入時の力の低減を図り、それにより端子の挿入時間の短縮を図ることができるコネクタ端子の組付方法、及び、その方法の実施に使用するコネクタを提供することにある。
【課題を解決するための手段】
【０００６】
本発明の前述した目的は、下記の構成により達成される。
（１）  コネクタハウジングの端子収容室に後方から端子を挿入するコネクタ端子の組付方法であって、
前記端子として、少なくとも前部が磁石に吸着される性質を有する端子を使用し、
前記コネクタハウジングの前記端子収容室の前方に磁石を配置し、該磁石による磁気吸引力を挿入力の少なくとも一部として利用しながら、前記端子を前記端子収容室に挿入することを特徴とするコネクタ端子の組付方法。
【０００７】
（２）  前記コネクタハウジングの前部に組み込まれる部品を磁石として構成し、該部品を先に前記コネクタハウジングの前部に組み込んだ状態で、前記端子を、前記部品による磁気吸引力を利用しながら前記端子収容室に挿入することを特徴とする上記（１）に記載のコネクタ端子の組付方法。
【０００８】
（３）  前記部品が、前記コネクタハウジングを相手側コネクタのコネクタハウジングに嵌合したとき、前記両コネクタハウジング間をシールするコネクタシールであり、該コネクタシールを磁性ゴム材料で形成し磁石として構成したことを特徴とする上記（２）に記載のコネクタ端子の組付方法。
【０００９】
（４）  少なくとも前部が磁石に吸着される性質を有した前記端子と、
後方から前記端子が挿入される端子収容室を有するコネクタハウジングと、
前記コネクタハウジングの前部に装着され、前記コネクタハウジングを相手側コネクタのコネクタハウジングに嵌合したとき、前記両コネクタハウジング間をシールするコネクタシールと、
を有したコネクタであって、
前記コネクタシールが、前記端子の前記端子収容室への挿入前に前記コネクタハウジングの前部に装着された状態で、前記端子を前記端子収容室に挿入するとき、挿入しようとする前記端子に磁気吸引力を及ぼして、前記端子を前記端子収容室に入るように引き寄せるゴム製磁石として構成されていることを特徴とするコネクタ。
【００１０】
上記（１）の構成のコネクタ端子の組付方法によれば、磁石による磁力を挿入力の少なくとも一部として利用しながら端子をコネクタハウジングの端子収容室に挿入するので、端子組付時の挿入力を低減することができ、端子の挿入時間の短縮を図ることができる。
【００１１】
上記（２）の構成のコネクタ端子の組付方法によれば、コネクタハウジングの前部に組み込まれる部品を磁石として構成し、この部品の磁気吸引力を利用しながら端子を端子収容室に挿入するので、組み立ての際に特別な磁石を用意する必要がない。また、この部品の磁気吸引力を、相手側コネクタと嵌合する際に利用することも可能である。
【００１２】
上記（３）の構成のコネクタ端子の組付方法によれば、コネクタシールを磁石として構成するので、コネクタシールの材料を磁性ゴムとするだけで、端子をコネクタハウジングに組み付ける際の挿入力の低減が図れる。
【００１３】
上記（４）の構成のコネクタによれば、コネクタシールの磁力を挿入力の少なくとも一部として利用しながら、端子をコネクタハウジングの端子収容室に挿入することができる。従って端子組付時の挿入力を低減することができ、端子の挿入時間の短縮を図ることができる。
【発明の効果】
【００１４】
本発明によれば、端子組付時の挿入力を低減することができ、端子の挿入時間の短縮を図ることができる。
【００１５】
以上、本発明について簡潔に説明した。更に、以下に説明される発明を実施するための形態（以下、「実施形態」という。）を添付の図面を参照して通読することにより、本発明の詳細は更に明確化されるであろう。
【図面の簡単な説明】
【００１６】
【図１】図１は本発明の実施形態のコネクタ端子の組付方法を説明するための斜視図である。
【図２】図２は実施形態のコネクタのコネクタハウジングに端子を挿入しようとしている状態を示す断面図である。
【図３】図３は実施形態のコネクタと相手側コネクタの分解斜視図である。
【図４】図４は実施形態のコネクタと相手側コネクタを嵌合した状態を示す断面図である。
【図５】図５は本発明の他の実施形態のコネクタ端子の組付方法を説明するための側面図である。
【発明を実施するための形態】
【００１７】
以下、本発明に係るコネクタ端子の組付方法及びコネクタの好適な実施形態について、図面を参照して詳細に説明する。
【００１８】
図１は本発明の実施形態のコネクタ端子の組付方法を説明するための斜視図、図２は実施形態のコネクタのコネクタハウジングに端子を挿入しようとしている状態を示す断面図、図３は実施形態のコネクタと相手側コネクタの分解斜視図、図４は実施形態のコネクタと相手側コネクタを嵌合した状態を示す断面図である。
【００１９】
図１は実施形態のコネクタ端子の組付方法を説明するための斜視図、図２は実施形態のコネクタのコネクタハウジングに端子を挿入しようとしている状態を示す断面図、図３は実施形態のコネクタと相手側コネクタの分解斜視図、図４は実施形態のコネクタと相手側コネクタを嵌合した状態を示す断面図である。
【００２０】
図１及び図２に示すように、実施形態の組付方法で使用する雌コネクタ１は、防水コネクタであり、後方から端子が挿入される端子収容室１３を有するコネクタハウジング１０と、少なくともコネクタハウジング１０に対する挿入方向（図２中矢印Ａ方向）の前部が磁石に吸着される性質を有した雌端子３０と、コネクタハウジング１０の前部に装着され、コネクタハウジング１０を相手側の雄コネクタ２（図３参照及び図４参照）のコネクタハウジング６０に嵌合したとき、両コネクタハウジング１０、６０間をシールするコネクタシール２０と、雌端子３０が先端に接続された電線Ｗとコネクタハウジング１０の隙間をシールする防水栓４０と、を有している。雌端子３０は、少なくとも前部が磁石に吸着される性質を持つように、全体あるいは少なくとも前部が磁性体金属で構成されている。
【００２１】
雌コネクタ１のコネクタハウジング１０は、単数または複数の端子収容室１３を有する中心部分のインナハウジング１１と、その外周を環状のスペース１４を介して覆うアウタハウジング１２と、インナハウジング１１の後部に各端子収容室１３ごとに連続して設けられた筒状の防水栓収容部１５と、を備えており、インナハウジング１１の先端部外周にコネクタシール２０の環状部２１が嵌合されている。
【００２２】
この場合のコネクタシール２０は、ゴム製磁石として構成されており、インナハウジング１１の先端部外周に嵌合される環状部２１と、環状部２１の外周に形成されたリップ２２と、環状部２１の前端を覆う前端壁２３と、前端壁２３の所定箇所に貫通して設けられ、雄コネクタ２側の雄端子８０の先端タブが挿入されるスリット２４と、を有している。
【００２３】
次に、コネクタハウジング１０の端子収容室１３に後方から端子３０を挿入して雌コネクタ１を完成させる方法について述べる。
【００２４】
雌コネクタ１を組み立てるには、まず、電線Ｗの先端外周に筒状の防水栓４０を嵌め、電線Ｗの先端に雌端子３０を加締める。一方、端子収容室１３への端子挿入前に、コネクタハウジング１０の前部にコネクタシール２０を装着しておく。そしてその状態で、図２に示すように、雌端子３０を端子収容室１３に矢印Ａで示す方向に挿入する。
【００２５】
このように挿入するとき、磁石として構成されたコネクタシール２０の磁力が雌端子３０の前部に及ぶことで、雌端子３０には、雌端子３０を挿入方向Ａに引き寄せる磁気吸引力が作用する。従って、コネクタシール２０による磁気吸引力を、挿入力の少なくとも一部として利用しながら、雌端子３０を端子収容室１３に挿入することができる。その結果、コネクタハウジング１０に対する雌端子３０の挿入力を低減することができて、雌端子３０の挿入時間の短縮を図ることができる。しかもこの場合、コネクタシール２０自体を磁石として構成しているので、他の特別な磁石を用意する必要がなく、コストをかけずに組み立てを容易に行うことができる。
【００２６】
また、相手側の雄コネクタ２に、コネクタシール２０の磁力よって磁気吸着される部分を設けておけば、コネクタシール２０の磁力を利用して、雌コネクタ１と雄コネクタ２の嵌合力を補助したり、嵌合状態を維持する力を補助したりすることも可能である。
【００２７】
雌端子３０を端子収容室１３に挿入すると、雌端子３０から後方に延びる電線Ｗの外周に嵌まった防水栓４０が、コネクタハウジング１０の防水栓収容部１５の内周壁に密着して、電線Ｗとコネクタハウジング１０の隙間をシールし、雌コネクタ１が完成する。
【００２８】
一方、この雌コネクタ１の嵌合対象の雄コネクタ２は、図３及び図４に示すように、コネクタハウジング６０の端子収容室６３に雄端子８０を挿入したものである。コネクタハウジング６０は、端子収容室６３を備えたインナハウジング６１と、その外周を覆いコネクタ嵌合時に雌コネクタ１の環状のスペース１４に挿入されることで、コネクタシール２０の環状部２１の外周に密着するアウタハウジング６２と、インナハウジング６１の後部に各端子収容室６３ごとに連続して設けられた筒状の防水栓収容部６５と、を備えている。そして、この雄コネクタ２も、外周に防水栓９０を嵌めた電線Ｗの先端に雄端子８０を加締め、その雄端子８０をコネクタハウジング６０の端子収容室６３に後方から挿入することで構成されている。
【００２９】
以上の構成の雌コネクタ１と雄コネクタ２を互いに嵌合させると、雄コネクタ２の雄端子８０の先端タブが、コネクタシール２０のスリット２４を通して雌コネクタ１内に進入し、雌端子３０と嵌合して、両端子３０、８０が導通接続される。また、コネクタシール２０の外周に雄コネクタ２のアウタハウジング６２が密着嵌合するので、両コネクタハウジング１０、６０間がシールされ、これらコネクタシール２０及び両コネクタ１、２の防水栓４０、９０の働きでコネクタ嵌合状態での防水性能が維持される。
【００３０】
なお、本発明は、上述した実施形態に限定されるものではなく、適宜、変形、改良、等が可能である。その他、上述した実施形態における各構成要素の材質、形状、寸法、数、配置箇所、等は本発明を達成できるものであれば任意であり、限定されない。
【００３１】
例えば、上記実施形態では、コネクタシール２０を磁石として構成した場合を示したが、コネクタハウジング１０の前部に配置される他の部品があれば、その部品を磁石として構成しても、同様の効果を得ることができる。
【００３２】
また、コネクタシールや他の部品がない場合は、図５に示すように、組立工程において、コネクタハウジング１１０の端子挿入方向の前部に磁石２００を配置し、その状態で雌端子３０を矢印Ａで示すように、コネクタハウジング１１０の後方から前方に向かって挿入すれば、同様に磁石２００の磁気吸引力を雌端子３０に及ぼすことができ、それにより、雌端子３０の挿入力を低減することができ、雌端子３０の挿入時間の短縮に寄与することができる。
【００３３】
ここで、上述した本発明に係るコネクタ端子の組付方法及びコネクタの実施形態の特徴をそれぞれ以下［１］〜［４］に簡潔に纏めて列記する。
【００３４】
［１］  コネクタハウジング（１０）の端子収容室（１３）に後方から端子（３０）を挿入するコネクタ端子の組付方法であって、
前記端子（３０）として、少なくとも前部が磁石に吸着される性質を有する端子（３０）を使用し、
前記コネクタハウジング（１０）の前記端子収容室（１３）の前方に磁石（２０、２００）を配置し、該磁石（２０、２００）による磁気吸引力を挿入力の少なくとも一部として利用しながら、前記端子（３０）を前記端子収容室（１３）に挿入することを特徴とするコネクタ端子の組付方法。
【００３５】
［２］  前記コネクタハウジング（１０）の前部に組み込まれる部品（２０）を磁石として構成し、該部品（２０）を先に前記コネクタハウジング（１０）の前部に組み込んだ状態で、前記端子（３０）を、前記部品（２０）による磁気吸引力を利用しながら前記端子収容室（１３）に挿入することを特徴とする上記［１］に記載のコネクタ端子の組付方法。
【００３６】
［３］  前記部品が、前記コネクタハウジング（１０）を相手側コネクタ（２）のコネクタハウジング（６０）に嵌合したとき、前記両コネクタハウジング（１０、６０）間をシールするコネクタシール（２０）であり、該コネクタシール（２０）を磁性ゴム材料で形成し磁石として構成したことを特徴とする上記［２］に記載のコネクタ端子の組付方法。
【００３７】
［４］  少なくとも前部が磁石に吸着される性質を有した前記端子（３０）と、
後方から前記端子（３０）が挿入される端子収容室（１３）を有するコネクタハウジング（１０）と、
前記コネクタハウジング（１０）の前部に装着され、前記コネクタハウジング（１０）を相手側コネクタ（２）のコネクタハウジング（６０）に嵌合したとき、前記両コネクタハウジング（１０、６０）間をシールするコネクタシール（２０）と、
を有したコネクタ（１）であって、
前記コネクタシール（２０）が、前記端子（３０）の前記端子収容室（１３）への挿入前に前記コネクタハウジング（１０）の前部に装着された状態で、前記端子（３０）を前記端子収容室（１３）に挿入するとき、挿入しようとする前記端子（３０）に磁気吸引力を及ぼして、前記端子（３０）を前記端子収容室（１３）に入るように引き寄せるゴム製磁石として構成されていることを特徴とするコネクタ（１）。
【符号の説明】
【００３８】
１  雌コネクタ
２  雄コネクタ（相手側コネクタ）
１０  コネクタハウジング
１３  端子収容室
２０  コネクタシール
３０  雌端子
６０  コネクタハウジング
２００  磁石
【図１】
2015026526.tif 000003
【図２】
2015026526.tif 000004
【図３】
2015026526.tif 000005
【図４】
2015026526.tif 000006
【図５】
2015026526.tif 000007